(57)【要約】【課題】例えば電子文書のような、関連のある複数のデジタルコンテンツから構成されるコンテンツの購入状況／発売状況などを容易にすること。購買意欲の向上が図れるようにすること。【解決手段】携帯電話１は、発売状況および利用者の購入状況を属性として備える複数のデジタルコンテンツから構成されるコンテンツの集合を電子バインダ１０４で管理し、電子バインダ１０４内のデジタルコンテンツごとに購入／未購入などの属性が表示できる。利用者の購入履歴や、あらかじめ利用者の嗜好ジャンルなどを会員登録時にサーバ２に登録しておくことで、利用者の好みに合った発売予定作品等が携帯端末上に電子バインダ１０４内のコンテンツとして自動的に表示される。【選択図】図１
2005332199.tif 000002
【特許請求の範囲】
【請求項１】
デジタルコンテンツの発売情報、ダウンロード情報およびデジタルコンテンツ本体を関連付けて記憶する記憶手段と、
前記デジタルコンテンツの発売情報をサーバより取得して前記記憶手段に記憶する発売情報取得手段と、
前記記憶手段内のデジタルコンテンツの発売情報、ダウンロード情報を表示するコンテンツ状況表示手段と、
前記デジタルコンテンツ本体をダウンロードして前記記憶手段に格納すると共に前記ダウンロード情報を更新するダウンロード手段と、
前記デジタルコンテンツ本体を表示する表示手段と
を備えることを特徴とする携帯端末。
【請求項２】
前記デジタルコンテンツは１つの電子文書データを複数に分割した分割データであり、
前記コンテンツ状況表示手段はデジタルコンテンツの発売情報、ダウンロード情報を前記電子文書毎にまとめて表示する
ことを特徴とする請求項１に記載の携帯端末。
【請求項３】
デジタルコンテンツの発売情報をサーバより取得して記憶手段に記憶する記憶ステップと、
前記記憶手段内のデジタルコンテンツの発売情報、ダウンロード情報を表示する情報表示ステップと、
前記デジタルコンテンツ本体をダウンロードして前記記憶手段に格納すると共に前記ダウンロード情報を更新するダウンロードステップと、
前記デジタルコンテンツ本体を表示する本体表示ステップと
を備えることを特徴とするコンテンツ閲覧方法。
【請求項４】
前記デジタルコンテンツは１つの電子文書データを複数に分割した分割データであり、
前記情報表示ステップにおいては、デジタルコンテンツの発売情報、ダウンロード情報を前記電子文書毎にまとめて表示する
ことを特徴とする請求項３に記載のコンテンツ閲覧方法。
【請求項５】
携帯端末のコンピュータを
デジタルコンテンツの発売情報、ダウンロード情報およびデジタルコンテンツ本体を関連付けて記憶する記憶手段、
前記デジタルコンテンツの発売情報をサーバより取得して前記記憶手段に記憶する発売情報取得手段、
前記記憶手段内のデジタルコンテンツの発売情報、ダウンロード情報を表示するコンテンツ状況表示手段、
前記デジタルコンテンツ本体をダウンロードして前記記憶手段に格納すると共に前記ダウンロード情報を更新するダウンロード手段、
前記デジタルコンテンツ本体を表示する表示手段
として機能させるためのコンテンツ閲覧プログラム。
【請求項６】
前記デジタルコンテンツは１つの電子文書データを複数に分割した分割データであり、
前記コンテンツ状況表示手段は、デジタルコンテンツの発売情報、ダウンロード情報を前記電子文書毎にまとめて表示するものである
ことを特徴とする請求項５に記載のコンテンツ閲覧プログラム。
【請求項７】
デジタルコンテンツの発売情報、ダウンロード情報およびデジタルコンテンツ本体を関連付けて記憶する記憶手段と、
前記デジタルコンテンツの発売情報をサーバより取得して前記記憶手段に記憶する発売情報取得手段と、
前記記憶手段内のデジタルコンテンツの発売情報、ダウンロード情報を表示するコンテンツ状況表示手段と、
前記デジタルコンテンツ本体をダウンロードして前記記憶手段に格納すると共に前記ダウンロード情報を更新するダウンロード手段と、
前記デジタルコンテンツ本体を表示する表示手段と
を備える携帯端末と、
前記デジタルコンテンツおよび前記デジタルコンテンツの発売情報を管理するコンテンツ情報管理手段と、
前記デジタルコンテンツに関する利用者の購入状況を管理する顧客対応購入情報管理手段と、
携帯端末からのアクセス時に自動的に発売情報を送信する発売情報送信手段と
を備えたサーバと
から構成されることを特徴とするコンテンツ閲覧システム。
【請求項８】
前記デジタルコンテンツは１つの電子文書データを複数に分割した分割データであり、
前記コンテンツ状況表示手段はデジタルコンテンツの発売情報、ダウンロード情報を前記電子文書毎にまとめて表示する
ことを特徴とする請求項７に記載のコンテンツ閲覧システム。
【請求項９】
前記サーバは、更に
利用者の書籍に関する嗜好ジャンルを登録する顧客対応嗜好ジャンル記憶手段と、
前記デジタルコンテンツごとに関連のある書籍のジャンルを記憶するコンテンツジャンル記憶手段と、
前記携帯端末からの前記サーバへのアクセスの際に、前記顧客対応購入情報管理手段から利用者の購入状況を、前記顧客対応嗜好ジャンル記憶手段から利用者の嗜好のジャンルを、前記コンテンツジャンル記憶手段から購入済の前記デジタルコンテンツの書籍のジャンルを取得し、利用者の嗜好に合う新たなデジタルコンテンツを前記サーバ内に登録されているデジタルコンテンツから取捨選択するデジタルコンテンツ取捨選択手段とを備え、
利用者が前記携帯端末を使用してアクセスしたときに、自動的に利用者の嗜好に合った新たな発売情報を前記発売情報送信手段に提供する
ことを特徴とする請求項７に記載のコンテンツ閲覧システム。
【発明の詳細な説明】
【技術分野】
【０００１】
本発明は、電子文書等のデジタルコンテンツに関する処理方法および処理システムに関し、特に利用者が購入したデジタルコンテンツの購入状況の表示方法、利用者の嗜好に合った新規デジタルコンテンツを携帯端末に通知して表示する技術に関する。
【背景技術】
【０００２】
昨今、インターネットに開設されている様々なウェブサイトにおいて、携帯端末で閲覧できる電子文書を代表とするデジタルコンテンツが提供されている。従来は会社への通勤時間などの移動中の時間的余裕がある時に本や雑誌などを読むことが多かったが、現在では様々な本が電子化され、電子文書として購入し、電子文書リーダなどで閲覧することが可能となっている。
【０００３】
電子文書の閲覧方式としては、購入した電子文書をコンパクトフラッシュ（登録商標）メモリやＳＤメモリカードなどの外部メモリや内部のハードディスクに入れて、ノートパソコンやＰＤＡ（Personal Digital Assistant）で専用の閲覧ソフトなどを使用して読む形式や、逐次電子文書のひとまとまりをダウンロードしながら読むという方法などが採用されている。
【０００４】
下記の特許文献１には電子文書のダウンロード方法が開示されている。この方法においては、サーバーにおいて特定の端末が電子文書を購入したという権利情報を記憶しており、端末からのダウンロード要求に基づき、権利を確認した上で、所定の単位でサーバよりダウンロードすることが出来る。
【特許文献１】特開２００３−１５０５９７
【０００５】
携帯電話は移動中においてもインターネットにアクセスし、様々な情報を入手し、閲覧することが可能である。昨今の携帯電話においてもアプリケーションが動作する例えばＪＡＶＡ（登録商標）の実行環境や、ＢＲＥＷ（Binary Runtime Environment for Wireless）という実行環境が実装されており、携帯電話でも様々なプログラムを実行することが可能となっている。プログラム自体は予め内蔵されているものもあれば、様々なコンテンツプロバイダが提供し、ダウンロードして携帯電話に保存し実行するという方式もある。
【０００６】
そこで、携帯電話が普及している現在、時間的余裕がある時には携帯電話で本を読みたいという要望が強く、インターネットの爆発的な普及もあって電子文書を携帯電話より購入出来るサービスも普及してきている。
しかし、携帯電話においては記憶容量が小さいために、例えば電子文書化した小説を一度に全部ダウンロードして記憶しておくことは困難である。そこで、例えば小説を章毎に分けて購入およびダウンロードができるサービスが提供されている。
【発明の開示】
【発明が解決しようとする課題】
【０００７】
上記のようなサービスを利用する際、電子文書を分割して購入する場合には、それらの管理が重要になってくる。即ち、ある小説の何章まで購入したかが容易に確認できる必要がある。ところが、購入履歴が購入（ダウンロード）日付順に表示されると、複数のコンテンツの購入履歴が混在しているために、特定の小説が何章まで購入されているのかを確認するためには、全ての購入履歴をチェックする必要があるという問題点があった。
【０００８】
またコンテンツプロバイダとしては、継続的な利用を促すために、利用者が好む新刊の電子文書を自動的に利用者に知らせることが有効であると考えられるが、従来のサービスにはそのような機能がないために、利用者の購買意欲を駆り立てるということが出来ないという問題点もあった。
【０００９】
本発明は以上のような従来の欠点に鑑みてなされたものであり、その目的とするところは、ネットワークを介して例えば一冊の電子文書を購入するのに必要とされる、購入の容易さ、管理の容易さ、購買意欲を高める電子文書の管理システムを提供することにある。コンテンツの対象は電子文書を含め任意のデジタルコンテンツが対象となる。例えば電子文書であっても画像や音を有するものであっても良い。
【課題を解決するための手段】
【００１０】
上記目的を達成するために、本発明の携帯端末は、デジタルコンテンツの発売情報、ダウンロード情報およびデジタルコンテンツ本体を関連付けて記憶する記憶手段と、前記デジタルコンテンツの発売情報をサーバより取得して前記記憶手段に記憶する発売情報取得手段と、前記記憶手段内のデジタルコンテンツの発売情報、ダウンロード情報を表示するコンテンツ状況表示手段と、前記デジタルコンテンツ本体をダウンロードして前記記憶手段に格納すると共に前記ダウンロード情報を更新するダウンロード手段と、前記デジタルコンテンツ本体を表示する表示手段とを備えることを主要な特徴とする。
また、前記デジタルコンテンツは１つの電子文書データを複数に分割した分割データであり、前記コンテンツ状況表示手段はデジタルコンテンツの発売情報、ダウンロード情報を前記電子文書毎にまとめて表示するようにしてもよい。
【００１１】
本発明のコンテンツ閲覧方法は、デジタルコンテンツの発売情報をサーバより取得して記憶手段に記憶する記憶ステップと、前記記憶手段内のデジタルコンテンツの発売情報、ダウンロード情報を表示する情報表示ステップと、前記デジタルコンテンツ本体をダウンロードして前記記憶手段に格納すると共に前記ダウンロード情報を更新するダウンロードステップと、前記デジタルコンテンツ本体を表示する本体表示ステップとを備えることを主要な特徴とする。
また、前記デジタルコンテンツは１つの電子文書データを複数に分割した分割データであり、前記情報表示ステップにおいては、デジタルコンテンツの発売情報、ダウンロード情報を前記電子文書毎にまとめて表示するようにしてもよい。
【００１２】
本発明のコンテンツ閲覧プログラムは、携帯端末のコンピュータを、デジタルコンテンツの発売情報、ダウンロード情報およびデジタルコンテンツ本体を関連付けて記憶する記憶手段、前記デジタルコンテンツの発売情報をサーバより取得して前記記憶手段に記憶する発売情報取得手段、前記記憶手段内のデジタルコンテンツの発売情報、ダウンロード情報を表示するコンテンツ状況表示手段、前記デジタルコンテンツ本体をダウンロードして前記記憶手段に格納すると共に前記ダウンロード情報を更新するダウンロード手段、前記デジタルコンテンツ本体を表示する表示手段として機能させることを主要な特徴とする。
また、前記デジタルコンテンツは１つの電子文書データを複数に分割した分割データであり、前記コンテンツ状況表示手段は、デジタルコンテンツの発売情報、ダウンロード情報を前記電子文書毎にまとめて表示するものであってもよい。
【００１３】
本発明のコンテンツ閲覧システムは、デジタルコンテンツの発売情報、ダウンロード情報およびデジタルコンテンツ本体を関連付けて記憶する記憶手段と、前記デジタルコンテンツの発売情報をサーバより取得して前記記憶手段に記憶する発売情報取得手段と、前記記憶手段内のデジタルコンテンツの発売情報、ダウンロード情報を表示するコンテンツ状況表示手段と、前記デジタルコンテンツ本体をダウンロードして前記記憶手段に格納すると共に前記ダウンロード情報を更新するダウンロード手段と、前記デジタルコンテンツ本体を表示する表示手段とを備える携帯端末と、前記デジタルコンテンツおよび前記デジタルコンテンツの発売情報を管理するコンテンツ情報管理手段と、前記デジタルコンテンツに関する利用者の購入状況を管理する顧客対応購入情報管理手段と、携帯端末からのアクセス時に自動的に発売情報を送信する発売情報送信手段とを備えたサーバとから構成されることを主要な特徴とする。
また、前記デジタルコンテンツは１つの電子文書データを複数に分割した分割データであり、前記コンテンツ状況表示手段はデジタルコンテンツの発売情報、ダウンロード情報を前記電子文書毎にまとめて表示するようにしてもよい。
【００１４】
更に、前記サーバは、利用者の書籍に関する嗜好ジャンルを登録する顧客対応嗜好ジャンル記憶手段と、前記デジタルコンテンツごとに関連のある書籍のジャンルを記憶するコンテンツジャンル記憶手段と、前記携帯端末からの前記サーバへのアクセスの際に、前記顧客対応購入情報管理手段から利用者の購入状況を、前記顧客対応嗜好ジャンル記憶手段から利用者の嗜好のジャンルを、前記コンテンツジャンル記憶手段から購入済の前記デジタルコンテンツの書籍のジャンルを取得し、利用者の嗜好に合う新たなデジタルコンテンツを前記サーバ内に登録されているデジタルコンテンツから取捨選択するデジタルコンテンツ取捨選択手段とを備え、利用者が前記携帯端末を使用してアクセスしたときに、自動的に利用者の嗜好に合った新たな発売情報を前記発売情報送信手段に提供するようにしてもよい。
【００１５】
図１５は、本発明によるコンテンツ閲覧システムの主要な機能構成を示す機能ブロック図である。携帯端末１には後述する電子バインダを記憶する記憶手段２０、コンテンツをダウンロードするダウンロード手段２１、コンテンツを表示するコンテンツ表示手段２２、電子文書等のコンテンツの発売状況をサーバーから取得あるいは受信して電子バインダに保存する発売情報取得手段２４、コンテンツの発売状況や購入状況を表示するコンテンツ状況表示手段２３を備えている。
【００１６】
また、サーバー２はコンテンツ情報、章毎のあらすじや書評等のコンテンツ付加情報、利用者毎の購入状況や課金情報等を記憶しているコンテンツデータベース３を備え、端末からの要求に基づき、コンテンツ、発売情報、付加情報等をダウンロードするコンテンツ情報管理手段３０、利用者毎のコンテンツの購入や課金を管理する購入情報管理手段３１、携帯端末からのアクセス時に自動的に発売情報を送信する発売情報送信手段３２を備えている。
【発明の効果】
【００１７】
本発明においては、電子バインダというという概念で電子文書を管理し、コンテンツの発売状況、利用者の購入状況を、購入／未購入、発売中／発売予定／未発売などの属性で区別して他例えば電子文書毎にまとめて利用者に判別容易な形式で表示することにより、利用者が発売／購入状況を容易に確認することが出来る。また、利用者がサイトにアクセスした際に利用者の嗜好に合わせた新刊の発売予定などを自動的に電子バインダに書き込むことによって提供することができるので、利用者の購買意欲を駆り立てることが出来る。
【発明を実施するための最良の形態】
【００１８】
以下に本発明を実施するための最良の形態の一例について図面を用いて詳細に説明する。図１は本発明のコンテンツ閲覧システムの全体構成を説明する図面である。コンテンツ閲覧システムを構成するサーバ２はインターネット上に開設されており、Ｗｅｂブラウザなどで携帯端末１からＵＲＬ（Uniform Resource Locator）を指定することでアクセス可能な構成となっている。
【００１９】
より詳細には、携帯電話等の携帯端末１は基地局９から携帯電話網５のパケット網６を経てゲートウェイ７を経由してインターネット４に接続されており、同じくインターネット４に接続されているサーバ２と通信することが出来る。携帯端末１は、基地局９もしくはゲートウェイ７までは無線プロトコルに従った通信を行って接続されている。ゲートウェイ７からサーバ２まではＩＰ接続になっている。携帯電話１にはその記憶部にデジタルコンテンツの代表例である電子文書の表示を容易にする電子バインダ１０４を保存している。
【００２０】
図２は、本発明における携帯端末１のブロック図を示している。携帯端末１は、中央制御装置であるＣＰＵ１１０、前記通信プロトコルを使用してネットワークとのリンクの通信制御を行う通信制御部１１１、利用者に様々な情報を表示する表示部１１３、携帯端末１に指示を与えるテンキー、機能キーなどの入力部１１４および各種アプリケーションプログラム１０６、電子バインダー１０４などを記憶している記憶部１０３を備えており、各装置が内部バス１１５を介して接続されている。
【００２１】
図１４は、電子バインダの構成を示す説明図である。携帯端末１の記憶部１０３に格納される電子バインダ１０４は管理テーブル４０および複数のコンテンツ４１を格納している。ダウンロードされたコンテンツは空き領域に順に保存され、管理テーブルが更新される。
【００２２】
管理テーブル４０には、商品ＩＤ、商品名、発売予定章、発売中の章、購入済の章、保存されているコンテンツへのポインタ情報等が記憶されている。なお、これらの情報の他に、作者名、購入日時、あらすじ、書評等のデータあるいはポインタを記憶してもよい。発売情報を電子バインダに格納した場合には管理テーブルにのみデータが追加される。
【００２３】
図３は、本発明におけるサーバのブロック部である。サーバ２は中央制御装置であるＣＰＵ２０６、通信プロトコルを使用してネットワークに接続し通信制御を行う通信制御部２０７、各種プログラム、データなどを格納するメモリ２０１、各種のデータベース２０９、及び、ＤＢインタフェース２０５より構成されている。
【００２４】
メモリ２０１は、デジタルコンテンツである電子文書２０２、電子文書のあらすじ２０３、電子文書ごとの書評２０４などを記憶している。各種データベース２０９には、顧客ＤＢ（データベース）や商品マスタＤＢなどが登録されている。
【００２５】
図４から図６には、携帯電話１がサーバ２と通信を行って携帯電話１内に存在する電子バインダの情報の構築、閲覧、電子文書の消去および電子文書の購入を行う際に携帯電話１の画面に表示される一連の画面例を示している。Ｆ１００は携帯電話の画面を表している。図４および図６は、携帯電話のブラウザとサーバによる連携処理による電子文書の検索や購入に関する画面例であり、図５は本発明によるアプリによるバインダ処理に関する画面例を示している。
図７から図１３は、携帯電話のブラウザとサーバによる連携処理、あるいは携帯電話１のアプリケーションにて動作する電子文書の購入／未購入／発売予定などの状態の表示や電子文書の書評などの確認、購入の一連の流れについて携帯電話１とサーバ２間のやりとりおよび動作フローを示すフローチャートである。
【００２６】
図１６から図１８は、サーバ２が管理する顧客データを含む会員テーブル、電子文書が購入されているか否かなどを格納するログデータおよび商品マスターの内容を示している。会員テーブルには顧客（会員）の、会員ＩＤ、入会日、メールアドレス、ＵＩＤ、現在のポイント、興味のある内容などが顧客ごとにデータベースとして登録されている（図１６）。ログテーブルには、会員ＩＤによって決まる複数のＩＤ（商品の購入を検索するのに使用）、購入商品ＩＤ、章ごとの購入状態がＩＤ毎にデータベースとして登録されている（図１７）。商品マスタには、商品ＩＤ、購入商品名、著者ＩＤ、消費ポイントなどがデータベースとして登録されている（図１８）。
【００２７】
次に、携帯電話１の画面遷移については図４から図６を用いて、動作については図７から図１３を用いて本発明の携帯端末の動作について詳細に説明する。先ず本コンテンツ閲覧システムを提供するサイトのサービスの利用者は、携帯電話１のブラウザを用いてサーバ２のＵＲＬにアクセスする（ステップＳ２０１）。携帯電話１のアクセスの際に、携帯電話網５は利用者に付与されている唯一固有の識別情報であるＵＩＤ（ユーザＩＤ）をサーバに２に提供している（ステップＳ２０１）。
【００２８】
アクセスを受けたサーバ２は、要求を受付け（ステップＳ１０１）、携帯電話１を唯一に識別できるＵＩＤを用いて顧客データベースである会員テーブル（図１６）を検索し（ステップＳ１０２）、アクセスしてきた利用者が会員かどうかを判定する（ステップＳ１０３）。アクセスする端末が携帯電話でない場合は、会員であるかどうかの判定は画面上にてＩＤとパスワードなどの入力を促すことで行う。（図示せず）。
【００２９】
アクセスして来た携帯電話１が会員ではない場合、会員登録用の画面（図６（Ａ））を作成して携帯電話１に送信し（ステップＳ１０４）、携帯電話１はその画面情報を受信する（ステップＳ２０２）。利用者が「会員登録する」にカーソルを合わせ選択決定した場合（ステップＳ２０３）は、その情報がサーバ２に送られる（ステップＳ１０５）。本実施形態においては、利用者を会員に限っているが、ゲスト用に制限付きでアクセス出来るようにすることも可能である。
【００３０】
利用者が「会員登録する」を選択した場合は、サーバ２は会員のプロフィールやお好みのジャンルなどの会員個別情報を含んだ登録用の画面（図６（Ｂ））を作成し携帯電話１に送信する（ステップＳ１０４）。利用者がプロフィールやお好みのジャンルなどの登録内容を入力して送信操作を行うと（ステップＳ２０３）、上記の登録内容がサーバ２に届き（ステップＳ１０５）、内容のチェックを行い、問題がなければ会員用の顧客データベースに登録内容を記録する（ステップＳ１０６）。
【００３１】
登録内容に問題が見つかった場合は「エラー」画面を携帯電話１に送信し再度登録を促す（図示せず）。会員となったところでサーバ２は、電子バインダを利用する為の電子バインダ用アプリケーションのダウンロードを促し（ステップＳ１０７）、会員は前記アプリケーションをダウンロードする（ステップＳ２０４）。アプリケーションのダウンロード正常終了で正規会員として登録する。（ステップＳ１０８）この後、図８のＳ２１２に移行する。
【００３２】
会員である利用者がブラウザを起動（Ｓ２１１）してサイトにアクセスした場合には認証後にサイトの初期画面が表示される。（Ｓ２１２、画面は図４（Ａ））。利用者は画面上で「最新の本」（Ｆ１０１）、「マイバインダ」（Ｆ１０２）、「本の検索」（Ｆ１０３）、「アプリのダウンロード」（Ｆ１０４）の項目のいずれかにカーソルを動かし、選択決定する。ブラウザは選択された処理に分岐する（ステップＳ２１３）。「最新の本」が選択された場合には図９の処理に移行（Ｓ２１４）する。「マイバインダ」の場合はダウンロードしたバインダアプリが起動する（ステップＳ２１５、図１０へ移行）。「本の検索」の場合は図１２の処理に移行する（ステップＳ２１６）。「アプリのダウンロード」が選択された場合には、図７のＳ１０７およびＳ２０４と同様の処理が実行される（Ｓ２１７）。
【００３３】
「最新の本」処理について図９を用いて説明する。「最新の本」が選択された場合、先ずブラウザがサーバに最新の本の問合せを行う（ステップＳ２２１）。電子文書の商品マスタは逐次更新されているものとする（図示せず）。要求を受付けた（Ｓ３２１）サーバ２は、データベースをアクセスし、最新の本の情報を取得し、携帯電話１に通知する（Ｓ３３２）。携帯電話１は最新の本のデータを受信（ステップＳ２２２）し、最新の本の画面表示を行う（ステップＳ２２３、画面は図４（Ｂ））。本画面では電子文書（本）を選択か、戻るの処理選択がある。利用者はいずれかを操作する。
【００３４】
なお、サーバは、利用者の書籍に関する嗜好ジャンルを登録する顧客対応嗜好ジャンル記憶手段と、デジタルコンテンツごとに関連のある書籍のジャンルを記憶するコンテンツジャンル記憶手段と、携帯端末からのサーバへの問合せの際に、顧客対応購入情報管理手段から利用者の購入状況を、顧客対応嗜好ジャンル記憶手段から利用者の嗜好のジャンルを、コンテンツジャンル記憶手段から購入済のデジタルコンテンツの書籍のジャンルを取得し、利用者の嗜好に合う新たなデジタルコンテンツをサーバ内に登録されているデジタルコンテンツから取捨選択するデジタルコンテンツ取捨選択手段とを備え、利用者の嗜好に合った新たなデジタルコンテンツを提示するようにしてもよい。
なお、利用者の嗜好に合った発売情報を送信するタイミングは、「最新の本」あるいは「本の検索」が選択された場合、あるいはコンテンツの購入処理時など利用者の操作に基づく携帯端末からサーバーへのアクセス時に発売情報を送信するようにしてもよいし、あるいはバインダアプリケーションの起動時に携帯端末からサーバーに必ずアクセスするようにして、発売情報を送信してもよい。
【００３５】
次に「本の検索」（Ｆ１０３）が選択された場合を図１２を用いて説明する。利用者が本の検索を選択するとブラウザが検索画面を要求（Ｓ２００１）し、サーバは検索画面を送信する。携帯電話１は検索の画面を表示する（ステップＳ２００２、画面は図４（Ｃ））。利用者が検索条件を入力して検索ボタンを選択操作すると、携帯電話１はサーバ２に利用者からの検索要求を行う（ステップＳ２００３）。検索要求を受けた（ステップＳ３００２）サーバ２は検索を行い、その結果を携帯電話１に通知する（ステップＳ３００３）。携帯電話１はその結果を表示する。（ステップＳ２００４、画面は図４（Ｄ））、この後の処理は、最新の本の画面（Ｓ２２３以降）と同じである。
【００３６】
電子文書（本）が選択された場合には、サーバから書評データを取得してその本の書評を表示する（Ｓ２２５、画面は図４（Ｅ））。書評表示画面においては、「この本を購入」あるいは「戻る」という処理選択肢がある。利用者が「この本を購入」を選択した場合はバインダアプリが起動され、該当する本をバインダに登録する（購入処理はバインダアプリによって実行される）。「戻る」が選択された場合は呼び元に戻る。
【００３７】
本実施形態に加えて、書評により購読者が電子文書の採点を行うことも可能であり、例えば書評を見る際に平均点が表示されたり、電子文書ごとのランキングなどを表示したりすることも可能である。また、書評と同時に、あるいは書評画面において利用者からの要求によって別にあらすじを表示するようにしてもよい。
【００３８】
次にバインダアプリの処理について図１０を用いて説明する。まず、バインダアプリの起動元が「本の購入」からの起動（Ｓ２２６）か否（メニューからの起動（Ｓ２１５））かが判定され、本の購入からの起動の場合にはＳ２３０において、購入された本のデータを電子バインダ１０４の管理テーブル４０に登録する。なお、実際の購入処理は後述するダウンロード処理において行う。次に、初期画面であるメインメニュー画面を表示する（ステップＳ２３１、画面は図５（Ａ））。メニューには「購入済みの本を見る」、「本の消去」という選択肢がある。
「購入済みの本を見る」が選択された場合には、バインダの管理テーブル４０に登録されている電子文書のリストが表示される（Ｓ２３４、画面は図５（Ｂ））。電子文書としては、利用者の操作によって登録／購入されたものだけではなく、前記したようにサーバ２にアクセスした時に自動的に取得され登録されている電子文書の発売情報があってもよい。
【００３９】
購入済の電子文書と、発売中で未購入の電子文書および発売予定の電子文書は、画面上で色付けなどが異なり利用者に判別しやすいように表示される。本実施形態では、電子文書の購入状態として、「購入済」、「未購入」、「発売予定」の３種類が存在する。図５（Ｂ）のＦ８０１は「購入済」（ダウンロード済み）を表し、Ｆ８０２は「未購入」を表し、Ｆ８０３は「発売予定」を表している。他の図の同じハッチングを施したものも同様の状態を表す。カーソルを動かすごとに前記購入の属性に従って区別された音などが鳴動するようにしても良い。
【００４０】
利用者が表示された電子文書を選択すると、携帯電話１は選択された電子文書の章ごとの情報を表示する（Ｓ２３６、図５（Ｃ））。ここでは、「ダウンロード」あるいは「見る」が選択できる。「見る」が選択された場合には、選択されている章の内容が電子バインダから読み出され、画面に表示される（Ｓ２３８）。
利用者はこの章の内容を閲覧することができる。
【００４１】
利用者が「ダウンロード」を選択した場合は「ダウンロード」ルーチンをコールする（ステップＳ２３９）。「ダウンロード」が選択された場合について図１１を使用して説明する。電子文書のダウンロードでは先ず章の購入の通知をサーバ２に対して行う（ステップＳ２７１）。要求を受けた（ステップＳ３７１）サーバ２は、先ず会員のポイントが残っているかを確認する（ステップＳ３７２）。ポイントが残っていない場合、ポイント不足のメッセージ（図５（Ｅ））を作成し携帯電話１に送信した後に呼び元に戻る（ステップＳ３７９）。ポイントが残っている場合、購入時のメッセージと購入する電子文書のダウンロードを促す画面（図示せず）を作成し携帯電話１に送信する（ステップＳ３７３およびＳ２７２）。利用者は携帯電話１の画面表示に従いダウンロード操作を行うと、携帯電話１はダウンロードを開始する。
【００４２】
携帯電話１はダウンロード要求をサーバ２に通知する（ステップＳ２７３）。サーバ２は要求を受付け（ステップＳ３７４）、指定の文書の章のデータを携帯電話１に送信する（ステップＳ３７５）携帯電話１は電子文書のダウンロードが終了すると、正常にダウンロードが出来たことをサーバ２に通知する（図示せず）。サーバ２は顧客データベースにアクセスし、顧客データから対応するポイント（図１８）を減算し（ステップＳ３７６）、会員が電子文書を購入したことを書き込む（ステップＳ３７７）。更に会員の課金データに金額を加算する（ステップＳ３７８）。また購入処理が終了通知の画面を携帯電話１に送信し（ステップＳ３７８）、携帯電話１は購入終了通知画面を表示し（図５（Ｄ））、呼び元に戻る（ステップＳ２７５）。利用者は購入終了画面を確認することが出来る。
【００４３】
なお、利用者からの購入要求に際し、利用者の購入状況を判定し、デジタルコンテンツが未購入であれば購入を許可するようにしてもよい。また、指定されたデジタルコンテンツが購入済のものであるか否かをサーバが判断し、判断の結果、指定のデジタルコンテンツが既に購入済のデジタルコンテンツである場合は、利用者からの前記デジタルコンテンツのダウンロードを無料（課金せずに）で、もしくはあらかじめ決められた期間内は無料でダウンロードを許可するようにしてもよい。
【００４４】
次に「本の消去」が選択された場合を図１３を用いて説明する。例えば携帯電話１の記憶部１０３の容量が不足してきた場合などは既に読んでしまった電子文書もしくは電子文書の章をマイバインダから削除して記憶部１０３の空容量を増加させる必要がある。本の消去を指示された携帯電話１は、指定された章の情報を表示し（図示せず）削除の確認画面（図５（Ｆ））を表示する（ステップＳ２９２）。
【００４５】
利用者が削除するどうかの確認を行うと、その回答により分岐する（ステップＳ２９３）。削除する場合は携帯電話１の電子バインダからコンテンツを削除する（ステップＳ２９４）。削除を行ったことは画面表示され利用者は確認できる（ステップＳ１９３）。処理後には電子バインダアプリケーションの初期画面にもどる。
【００４６】
実施例においては、携帯端末として携帯電話を使用して説明したが、ＰＤＡ（Personal Digital Assistant）でも同様である。また、利用者の嗜好に合った発売情報は自動的にダウンロードされる例を開示したが、利用者の設定によりこのダウンロードを行わないようにすることができるようにしてもよい。
【産業上の利用可能性】
【００４７】
本発明は、携帯端末に電子文書などのデジタルコンテンツを提供するシステム、携帯端末、デジタルコンテンツのアプリケーションプログラムの産業分野で利用可能である
【図面の簡単な説明】
【００４８】
【図１】本発明のコンテンツ閲覧システムのシステム構成図である。
【図２】本発明の携帯端末のブロック図である。
【図３】本発明のサーバのブロック図である。
【図４】本発明の携帯端末の画面遷移図である。
【図５】本発明の携帯端末の画面遷移図である。
【図６】本発明の携帯端末の画面遷移図である。
【図７】本発明のコンテンツ閲覧システムの処理シーケンスおよび動作フローを示す図である。
【図８】本発明のコンテンツ閲覧システムの処理シーケンスおよび動作フローを示す図である。
【図９】本発明のコンテンツ閲覧システムの処理シーケンスおよび動作フローを示す図である。
【図１０】本発明のコンテンツ閲覧システムの処理シーケンスおよび動作フローを示す図である。
【図１１】本発明のコンテンツ閲覧システムの処理シーケンスおよび動作フローを示す図である。
【図１２】本発明のコンテンツ閲覧システムの処理シーケンスおよび動作フローを示す図である。
【図１３】本発明のコンテンツ閲覧システムの処理シーケンスおよび動作フローを示す図である。
【図１４】本発明のコンテンツ閲覧システムで使用される電子バインダの構成を示す図である。
【図１５】本発明のコンテンツ閲覧システムの主要機能を示す機能ブロック図である。
【図１６】本発明のコンテンツ閲覧システムで使用される会員テーブルを示す図である。
【図１７】本発明のコンテンツ閲覧システムで使用されるログテーブルを示す図である。
【図１８】本発明のコンテンツ閲覧システムで使用される商品マスタを示す図である。
【符号の説明】
【００４９】
１      携帯電話機
２      サーバ
３      コンテンツＤＢ
４      インターネット
５      携帯電話網
１０３  記憶部
１０４  電子バインダ
【図１】
2005332199.tif 000003
【図２】
2005332199.tif 000004
【図３】
2005332199.tif 000005
【図４】
2005332199.tif 000006
【図５】
2005332199.tif 000007
【図６】
2005332199.tif 000008
【図７】
2005332199.tif 000009
【図８】
2005332199.tif 000010
【図９】
2005332199.tif 000011
【図１０】
2005332199.tif 000012
【図１１】
2005332199.tif 000013
【図１２】
2005332199.tif 000014
【図１３】
2005332199.tif 000015
【図１４】
2005332199.tif 000016
【図１５】
2005332199.tif 000017
【図１６】
2005332199.tif 000018
【図１７】
2005332199.tif 000019
【図１８】
2005332199.tif 000020